(57)【特許請求の範囲】
【請求項１】
画像を入力する入力部と、
前記画像の文字認識を行う文字認識部と、
前記文字認識部による認識結果に基づいてマイナンバーが含まれるか判定する第１の判定部と、
前記認識結果に基づいて前記画像に身分証明書が含まれるか判定する第２の判定部と、
前記画像にマイナンバーが含まれ、かつ身分証明書が含まれない場合、前記マイナンバーを塗りつぶす塗りつぶし部と、
前記塗りつぶされた画像を出力する出力部と、
を備える画像処理装置。
【請求項２】
前記第１の判定部は、
前記文字認識の結果に基づいて前記画像から１２桁の数字を抽出し、前記抽出された１２桁の数字を用いてマイナンバーのチェックディジットを計算し、計算された前記チェックディジットと前記抽出された１２桁の数字の末尾が一致する場合に、前記抽出された１２桁の数字をマイナンバーと判定する、
請求項１に記載の画像処理装置。
【請求項３】
前記入力部に入力された画像にマイナンバーと身分証明書とが含まれる場合、前記画像に署名する署名部を備える請求項１もしくは請求項２に記載の画像処理装置。
【請求項４】
前記文字認識部による文字認識の結果に共通の項目がある場合に、前記共通項目の認識結果を一つに合成する合成部を備える請求項１乃至請求項３のいずれか１項に記載の画像処理装置。
【請求項５】
ネットワークを介して接続する画像処理装置と記憶装置とを備える画像処理システムであって、
前記画像処理装置は、
画像を入力する入力部と、
前記画像の文字認識を行う文字認識部と、
前記文字認識部による認識結果に基づいてマイナンバーが含まれるか判定する第１の判定部と、
前記認識結果に基づいて前記画像に身分証明書が含まれるか判定する第２の判定部と、
前記画像にマイナンバーが含まれ、かつ身分証明書が含まれない場合、前記マイナンバーを塗りつぶす塗りつぶし部と、
前記入力部に入力された画像にマイナンバーと身分証明書とが含まれる場合、前記画像に署名する署名部と、
前記塗りつぶされた画像を出力する出力部と、
を備え、
前記記憶装置は、
前記画像処理装置から受信した前記署名された画像と前記画像の文字認識結果とを記憶する、画像処理システム。
【請求項６】
画像を入力するステップと、
前記画像の文字認識を行うステップと
前記認識結果に基づいてマイナンバーが含まれるか判定するステップと、
前記認識結果に基づいて前記画像に身分証明書が含まれるか判定するステップと、
前記画像にマイナンバーが含まれ、かつ身分証明書が含まれない場合、前記マイナンバーを塗りつぶすステップと、
前記入力部に入力された画像にマイナンバーと身分証明書とが含まれる場合、前記画像に署名するステップと、
前記塗りつぶされた画像を出力するステップと、
前記画像処理装置から受信した前記署名された画像と前記画像の文字認識結果とを記憶するステップと、
を備える画像処理方法。
【請求項７】
記憶装置に接続された画像処理装置の画像処理プログラムであって、
コンピュータに、
画像を入力する機能と、
前記画像に文字認識を行う機能と、
前記認識結果に基づいてマイナンバーが含まれるか判定する機能と、
前記認識結果に基づいて前記画像に身分証明書が含まれるか判定する機能と、
前記画像にマイナンバーが含まれ、かつ身分証明書が含まれない場合、前記マイナンバーを塗りつぶす機能と、
前記塗りつぶされた画像を出力する機能と、
を実行させる画像処理プログラム。
【発明の詳細な説明】
【技術分野】
【０００１】
本発明の実施形態は、画像処理装置、画像処理システム、画像処理方法及び画像処理プログラムに関する。
【背景技術】
【０００２】
一般的にクレジットカードや銀行口座開設の申し込みの際に、本人確認のために使用する身分証明書には運転免許証が使われることが多い。この場合、本人確認のための身分証明書として運転免許証を確認したエビデンスを残すために、運転免許証番号を書き写すことが行われる。上述のように、身分証明書を確認したエビデンスを残す際に、提示された身分証明書を光学的に読み取り、身分証明書に記載された文字を認識する光学式文字認識装置（以下、ＯＣＲという）が使用される。
【０００３】
今後は運転免許証に代わり、マイナンバーカード（個人番号カード）を身分証明書として使うことが増えると見込まれている。マイナンバーカードとは、マイナンバー（個人番号）が記載されたカードである。マイナンバーとは、国民１人ひとりが持つ１２桁の番号のことであり、表面に住所・氏名・生年月日などの情報が印刷されており、裏面には１２桁のマイナンバーが印刷されている。表面については書き写したり写真を撮影しても良いため、表面の写真を撮影したり、表面をコピーしたりすることで本人確認を行ったことのエビデンスとすることは可能である。しかしながら、裏面に記載されているマイナンバーを、税・年金・社会保障などの目的で利用する場合を除き、むやみに書き写すことや、写真を撮影することは禁止されているため、本人確認のマイナンバーカードをＯＣＲでスキャンすると、マイナンバーを読み取ってしまい、スキャンの目的によっては法律に違反する可能性があるという問題がある。
【０００４】
また、マイナンバーは源泉徴収票などにも印刷されるため、税金の処理などのために源泉徴収票をコピーすると、マイナンバーをコピーしてしまい、法律に違反する可能性があるという問題がある。
【先行技術文献】
【特許文献】
【０００５】
【特許文献１】特開２００７−１０２２６５号公報
【特許文献２】特開２０１０−２８３４９２号公報
【発明の概要】
【発明が解決しようとする課題】
【０００６】
本発明が解決しようとする課題は、法律に違反することなくマイナンバーをコピーや認識することができる画像処理装置を提供することである。
【課題を解決するための手段】
【０００７】
実施形態に係る画像処理装置は、画像を入力する入力部と、画像の文字認識を行う文字認識部と、文字認識部による認識結果に基づいてマイナンバーが含まれるか判定する第１の判定部と、認識結果に基づいて画像に身分証明書が含まれるか判定する第２の判定部と、画像にマイナンバーが含まれ、かつ身分証明書が含まれない場合、マイナンバーを塗りつぶす塗りつぶし部と、塗りつぶされた画像を出力する出力部と、を備える。
【図面の簡単な説明】
【０００８】
【図１】第１の実施形態に係る画像処理システムの全体構成を示すブロック図。
【図２】第１の実施形態に係る画像処理装置に入力されるマイナンバーカードの表面画像と、マイナンバーカードの裏面画像。
【図３】第１の実施形態に係る画像処理装置に入力される運転免許証画像。
【図４】第１の実施形態に係る画像処理システムの動作の一例を示すフローチャート
【図５】第１の実施形態に係る画像処理装置に入力される画像の一例。
【図６】第１の実施形態に係るマイナンバー判定処理の一例を示すフローチャート。
【図７】第１の実施形態に係る画像処理装置によって出力される画像。
【図８】第１の実施形態に係る画像処理装置によって出力される画像。
【図９】第１の実施形態に係る画像処理装置に入力される画像の一例。
【図１０】第２の実施形態に係る画像処理システムの全体構成を示すブロック図。
【図１１】第２の実施形態に係る画像処理システムの動作の一例を示すフローチャート。
【図１２】第２の実施形態に係る画像処理装置に入力される画像の一例。
【図１３】第３の実施形態に係る画像処理システムの全体構成を示すブロック図。
【図１４】第３の実施形態に係る画像処理結果記憶装置の構成を示すブロック図。
【発明を実施するための形態】
【０００９】
（第１の実施形態）
以下、本発明の第１の実施形態について図面を参照して説明する。
【００１０】
図１は、第１の実施形態に係る画像処理システム１００の全体構成を示すブロック図である。
【００１１】
図１に示すように、画像処理システム１００は、画像処理装置２００と記憶装置３００とがネットワーク４００を介して接続される。
【００１２】
画像処理装置２００は、入力部２１０、画像処理部２２０、および出力部２８０を備える。画像処理装置２００は、例えばカメラ付きスマートフォンなどの携帯端末、カメラ付きのタブレットパソコン、もしくはパソコンとスキャナなどである。本実施形態の画像処理装置２００はスマートフォンであるとする。
【００１３】
入力部２１０は、カメラやスキャナなどであり、画像処理装置２００に入力する対象の画像データを作成する。本実施形態の入力部２１０はカメラであるとし、入力部２１０は入力対象を撮影して画像を作成し、画像処理部２２０に入力する。
【００１４】
図２及び図３に、入力部２１０よって作成される画像の一例を示す。図２は、マイナンバーカードの表面画像２１１と、マイナンバーカードの裏面画像２１２の一例が示されている。
【００１５】
マイナンバーカードの表面画像２１１とは、マイナンバーカードにおいて氏名、住所生年月日、性別などの個人情報が記載された面の画像である。マイナンバーカードの裏面画像２１２とは、マイナンバーカードにおいてマイナンバーが印字された面の画像である。なお、マイナンバーは源泉徴収票や、マイナンバーの通知カードなどにも印刷され、マイナンバーカードにのみ印刷されるものではない。すなわち、入力部２１０により、入力される画像は、マイナンバーカード以外に、源泉徴収票や、マイナンバーの通知カードでもよい。図３は、入力部２１０によって作成される運転免許証画像２１３の一例である。
【００１６】
本実施形態では、マイナンバーカードの裏面と、運転免許証とが、並べられた状態で入力部２１０によって撮影され、マイナンバーカードの裏面画像２１２と運転免許証画像２１３とが同時に作成され、画像処理部２２０に入力される。
【００１７】
画像処理部２２０は、文字認識部２３０と、マイナンバー判定部（第１の判定部ともいう）２４０と、運転免許証判定部（第２の判定部ともいう）２５０と、塗りつぶし部２６０と、署名部２７０とを備える。画像処理部２２０は例えばスマートフォンのＣＰＵ（Ｃｅｎｔｒａｌ  Ｐｒｏｃｅｓｓｉｎｇ  Ｕｎｉｔ）である。
文字認識部２３０は、入力部２１０によって作成され、画像処理部２２０に入力された画像の文字認識を行う。なお、文字認識を行うために、文字認識装置は入力画像のレイアウト解析を行う。
【００１８】
マイナンバー判定部２４０は、文字認識部２３０の認識結果を用いて、入力部２１０によって画像処理部２２０に入力された画像にマイナンバーが含まれるかどうかを判定するマイナンバー判定処理を行う。
【００１９】
運転免許証判定部２５０は、文字認識部２３０の認識結果を用いて、入力部２１０によって入力された画像に運転免許証が含まれるかどうかを判定する運転免許証判定処理を行う。運転免許証判定は、例えば、文字認識部２３０によるレイアウト解析結果に基づいて行われる。
【００２０】
塗りつぶし部２６０は、マイナンバー判定部２４０により、入力部２１０によって入力された画像にマイナンバーが含まれると判定された場合であって、運転免許証判定部２５０により、入力部２１０によって入力された画像が運転免許証でないと判定された場合に、入力部２１０によって入力された画像の当該マイナンバー部分を塗りつぶす。
【００２１】
なお、塗りつぶし部２６０は、マイナンバー判定部２４０により、入力部２１０によって入力された画像にマイナンバーが含まれると判定された場合でも、運転免許証判定部２５０により、入力部２１０によって入力された画像が運転免許証であると判定された場合、塗りつぶし処理を行わない。すなわち、身分証明書が確認できた場合は、塗りつぶし部２６０はマイナンバーを塗りつぶさない。
【００２２】
また、塗りつぶし部２６０は、マイナンバー判定部２４０により、入力部２１０によって入力された画像にマイナンバーが含まれないと判定された場合も、塗りつぶし処理を行わない。
【００２３】
署名部２７０は、マイナンバー判定部２４０により、入力部２１０によって入力された画像にマイナンバーが含まれると判定された場合であって、運転免許証判定部２５０により、入力部２１０によって入力された画像が運転免許証であると判定された場合に、入力された画像に署名を行う。なお、署名部２７０は、署名がいつ行われたのかを明確にするため、署名時にタイムスタンプを付与しても良い。署名部２７０は、マイナンバー判定部２４０により、入力部２１０によって入力された画像にマイナンバーが含まれないと判定された場合は入力画像に署名を行わない。
【００２４】
すなわち、本実施形態の画像処理装置２００は、入力部２１０によって入力された画像にマイナンバーが含まれない場合は、入力された画像に署名や塗りつぶしを行わず、文字認識処理のみを行い、出力部２７０に出力する。
【００２５】
出力部２８０は、画像処理部２２０によって処理された画像を出力する。出力部２８０は、例えば、液晶ディスプレイである。
【００２６】
出力部２８０に出力された画像及び画像処理部２２０による文字認識結果は、画像処理装置２００により、ネットワーク４００を介して記憶装置３００に送信される。記憶装置３００は、受信した画像および文字認識結果を記憶する。記憶装置３００は例えばハードディスクドライブ（ＨＤＤ）である。
【００２７】
ここで、図４乃至図９を参照して、本実施形態の画像処理システム１００における画像認識処理の一例について説明する。図４は、本実施形態の画像処理システム１００の動作の一例を示すフローチャートである。
【００２８】
まず、入力部２１０は認識対象の画像を作成し、作成した画像を画像処理部２２０に入力する（ステップＳ１）。具体的には、入力部２１０は、マイナンバーカードの裏面と、運転免許証とを並べた状態で撮影し、図５に示すようなマイナンバーカードの裏面画像２１２と運転免許証画像２１３とを含む１枚の入力画像２１４を作成する。作成された入力画像２１４は入力部２１０により画像処理部２２０に入力される。
【００２９】
画像処理部２２０に入力画像２１４が入力されると、文字認識部２３０は、入力画像２１４の文字認識を行う（ステップＳ２）。
【００３０】
マイナンバー判定部２４０は、文字認識部２３０による文字認識結果を用いて、マイナンバー判定処理を行う（ステップＳ３）。
【００３１】
図６は、本実施形態のマイナンバー判定部２４０によるマイナンバー判定処理の一例を示すフローチャートである。
【００３２】
マイナンバー判定部２４０は、文字認識部２３０による文字認識の結果に基づいて、１２桁の数字を抽出する（ステップＳ３１）。マイナンバー判定部２４０は、抽出した１２桁の数字のうち、末尾の１桁を除く１１桁の数字を用いてチェックディジットを計算する（ステップＳ３２）。マイナンバーのチェックディジットの計算方法は、総務省令で公開されている。
【００３３】
マイナンバー判定部２４０は、計算したチェックディジットが、抽出した１２桁の数字の末尾１桁と一致するかどうか判定する（ステップＳ３３）。
【００３４】
計算したチェックディジットが、抽出した１２桁の数字の末尾１桁と一致する場合（ステップＳ３３がＹｅｓ）、マイナンバー判定部２４０は、抽出した１２桁の数字がマイナンバーであると判定し（ステップＳ３４）、マイナンバー判定処理を終了する。
【００３５】
計算したチェックディジットが抽出した１２桁の数字の末尾１桁と一致しない場合（ステップＳ３３がＮｏ）、マイナンバー判定部２４０は、抽出した１２桁の数字がマイナンバーではないと判定し（ステップＳ３５）、マイナンバー判定処理を終了する。
【００３６】
図４の説明に戻る。ステップＳ３のマイナンバー判定処理において、マイナンバー判定部２４０が、抽出した１２桁の数字はマイナンバーであると判定した場合（ステップＳ４がＹｅｓ）、運転免許証判定部２５０は文字認識部２３０の文字認識結果に基づいて、入力画像２１４に運転免許証判定処理を行う（ステップＳ５）。なお、本実施形態では入力画像２１４がマイナンバーを含むかどうか判定してから運転免許証判定処理を行っているが、この順番に限らず、運転免許証判定処理後にマイナンバー判定処理を行ってもよいし、運転免許証判定処理とマイナンバー判定処理とを同時並行で行ってもよい。
【００３７】
運転免許証判定部２５０が、入力画像２１４に運転免許証が含まれると判定した場合（ステップＳ６がＹｅｓ）、署名部２７０は、入力画像２１４に署名を付与する署名処理を行う（ステップＳ７）。  
画像処理装置２００は、署名部２７０により署名を付与された画像および文字認識結果を記憶装置３００に送信し、記憶装置３００は受信したデータを記憶する（ステップＳ８）。
【００３８】
運転免許証判定部２５０が、入力画像２１４に運転免許証が含まれないと判定した場合（ステップＳ６がＮｏ）、塗りつぶし部２６０は、マイナンバーを塗りつぶす塗りつぶし処理を行う（ステップＳ９）。なお、塗りつぶし処理では塗りつぶしに限らず、マイナンバー部分のデータを削除するなど、入力画像２１４からマイナンバーを読み取れないようにする方法であればよい。
【００３９】
出力部２８０には、署名部２７０によって署名を付与された画像、もしくは塗りつぶし部２６０によってマイナンバーを塗りつぶされた画像を出力し（ステップＳ１０）、画像認識処理を終了する。本実施形態では、スマートフォンのディスプレイに画像が表示される。
【００４０】
図７は、署名部２７０によって署名を付与された出力画像２１５の一例である。図８は、塗りつぶし部２６０によってマイナンバーを塗りつぶされた出力画像２１６の一例である。なお、署名は図７に示すように出力部２８０に表示するように付与してもよいし、出力部２８０に表示されない方法で付与してもよい。また、画像に署名を付与するのではなく、データテーブルを作成して画像名と関連付けて保存するようにしてもよい。
【００４１】
マイナンバー判定部２４０が、抽出した１２桁の番号はマイナンバーではないと判定した場合（ステップＳ４がＮｏ）、出力部２８０は、入力画像２１４をそのまま出力画像として出力し（ステップＳ１０）、画像認識処理を終了する。
【００４２】
上述したように、本実施形態の画像処理システム１００は、入力部２１０により入力された入力画像２１４にマイナンバーおよび運転免許証等の身分証明書が含まれる場合は、入力画像２１４に署名を付与した画像と文字認識結果を記憶装置３００に記憶させる。一方、本実施形態の画像処理システム１００は、入力画像２１４にマイナンバーが含まれるが、運転免許証等の身分証明書が含まれない場合、入力画像２１４に含まれるマイナンバーを塗りつぶした画像を出力部２８０に出力する。また、入力画像２１４にマイナンバーが含まれるが、運転免許証等の身分証明書が含まれない場合は記憶装置に画像と文字認識結果を記憶させない。これにより、身分証明書が確認できた場合のみマイナンバーの記憶を行うため、法律に違反することなくマイナンバーを記憶することが可能である。
【００４３】
すなわち、本実施形態の画像処理システム１００は、運転免許証などの身分証明書がある場合のみ、入力画像に含まれるマイナンバーを記憶することを可能にする。このため、本実施形態の画像処理システム１００は、マイナンバーをコピーする際に必要な本人確認のための身分証明書の収集し忘れを防ぐことができる。
【００４４】
また、本実施形態の画像処理システム１００によると、マイナンバーを記憶させる際に、記憶させる人の情報を同時に取得することができるため、マイナンバーをデータ化したことに対して違法性が指摘された場合に、責任の所在を明らかにできる。また、誰がオペレーションを行ったのかを示す記録を確実に残すことができる。なお、本実施形態で同時に入力される画像とは、同時に撮影した画像だけでなく、所定の期間の間に入力された画像、もしくはユーザにより、同時に入力すると選択された画像などでもよい。  
なお、マイナンバーは１２桁の番号で、チェックディジットは１桁しかないため、マイナンバーでなくてもチェックディジットが一致してしまう場合がある。そのため、本実施形態の画像処理システム１００は入力された画像のチェックディジットがマイナンバーのチェックディジットの計算結果と一致する場合は、身分証明書が確認できなければ塗りつぶして出力するため、ユーザは入力した画像にマイナンバーの可能性がある数字が含まれることを確認できる。このため、本実施形態の画像処理システム１００は、誤ってマイナンバーをコピーすることを防ぐことができる。
【００４５】
なお、本実施形態ではマイナンバーを撮影する際の身分証明書として運転免許証を使用しているが、パスポートや保険証など他の身分証明書を使用してもよい。
【００４６】
もしくは、身分証の代わりに署名鍵を格納した二次元バーコードを印刷したカードを使用してもよい。図９にマイナンバーカードの裏面と、署名鍵を格納した二次元バーコードを印刷したカードとが並べられた画像２１７の一例を示す。
【００４７】
この場合、運転免許証判定処理では、署名鍵の有無を判定し、署名鍵が存在する場合に、署名鍵に基づいて入力画像に署名する。署名鍵が存在しない場合は、塗りつぶし部２６０がマイナンバーを塗りつぶす。また、入力画像に署名鍵が含まれるため、画像の改ざんを防ぐことや記憶装置３００に送信する際に他者に読み取られることを防ぐことができる。
【００４８】
なお、ＯＣＲによる文字認識では誤読があり得る。その場合、１つの文字に対して複数の候補文字を出力し、その候補文字の中からチェックディジットに一致する候補を探すことで、誤読による影響を軽減する方法も考えられる。
【００４９】
（第２の実施形態）
次に、本発明の第２の実施形態に係る画像処理システム１０１について図１０乃至図１２を参照して説明する。図１０は、本発明の第２の実施形態に係る画像処理システム１０１の全体構成を示すブロック図である。
【００５０】
図１０に示すように、本実施形態の画像処理システム１０１は、第１の実施形態の画像処理装置２００の構成に、画像処理結果合成部２９０を新たに設置した構成である。第１の実施形態の各部と同一部分は同一符号で示し、重複する説明は省略する。
【００５１】
画像処理結果合成部２９０は、文字認識部２３０による文字認識結果に共通の項目が含まれる場合に、共通項目の認識結果を合成する。文字認識結果に共通の項目が含まれる場合は、例えば複数の身分証明書が入力された場合などに発生する。
【００５２】
図１１は、本実施形態の画像処理システム１０１の動作の一例を示すフローチャートである。図１２は、本実施形態において入力部２１０によって作成される入力画像２１８の一例である。入力画像２１８には、マイナンバーカードの表面と、マイナンバーカードの裏面と、運転免許証が含まれる。この３つが並んだ入力画像２１８は、例えばマイナンバーカードの表面をコピーしたものを利用することで作成される。
【００５３】
図１１に示すように、本実施形態の画像処理システム１０１は、ステップＳ７までは第一の実施形態と同一の処理を行い、ステップＳ７の後に画像処理結果合成部２９０が認識結果合成処理を行う（ステップＳ１１）。
【００５４】
マイナンバーカードの表面および運転免許証は、住所、氏名、および生年月日が共に記載されている。認識結果合成処理では、画像処理結果合成部２９０が、上述のようなマイナンバーカードと運転免許証の共通の項目の文字認識結果を合成する。
【００５５】
その後、合成された認識結果がステップＳ１０で記憶装置３００に記憶される。
【００５６】
本実施形態の画像処理システム１０１によると、マイナンバーカードと運転免許証など、複数の身分証明書が入力部２１０に入力された場合に、どちらか片方が入力された場合より精度の高い文字認識を行うことが可能となる。文字認識結果を合成する方法は、例えば、文字認識結果に得点を付け、マイナンバーカードと運転免許証の各文字の得点を比較し、得点の高い文字認識結果を選択する方法や、住所の場合、郵便番号簿に存在する住所を選択する、という方法がある。
【００５７】
すなわち、本実施形態の画像処理システム１０１は、複数の身分証明書を入力することで、ユーザが誤ってマイナンバーを認識すること防ぐとともに、入力された身分証明書の所有者が同じであれば、認識性能の向上を可能にする。
【００５８】
（第３の実施形態）
次に、本発明の第３の実施形態に係る画像処理システム１０２について図１３及び図１４を参照して説明する。なお、第１の実施形態の各部と同一部分は同一符号で示し、重複する説明は省略する。
【００５９】
図１３は、本実施形態に係る画像処理システム１０２の全体構成を示すブロック図である。図１３に示すように、本実施形態の画像処理システム１０２は、記憶装置３００に代わり、構成の異なる記憶装置３１０を備える点が、第１の実施形態の画像処理システム１００と異なる。図１４に記憶装置３１０の構成の一例を示す。
【００６０】
図１４に示すように、記憶装置３１０は、マイナンバー分割部３２０と、マイナンバー記憶部３３０と、マイナンバーアクセス部３４０を備える。
【００６１】
マイナンバー記憶部３３０およびマイナンバーアクセス部３４０は、それぞれアクセス権限が付与されたユーザのみがアクセス可能であるとする。
【００６２】
マイナンバー分割部３２０は画像処理装置２００から送信された文字認識結果のうち、マイナンバーと判定された１２桁の文字列をあらかじめ定めた個数に分割する。本実施形態では、先頭から４桁ずつ３つの文字列に分割する。分割された文字列を分割マイナンバーという。なお、画像処理装置２００から送信されたデータのうち、マイナンバーと判定された文字列以外のデータは記憶装置３１０に記憶される。
【００６３】
マイナンバー記憶部３３０は、複数の記憶装置を備える。本実施形態では、第１記憶部３３１、第２記憶部３３２、および第３記憶部３３３の３つの記憶部を備えるとする。マイナンバー分割部３２０により分割された分割マイナンバーが記憶部３３１〜３３３に記憶される。このとき、分割マイナンバーには識別子としてＩＤが付与される。
【００６４】
本実施形態では、第１記憶部３３１にＩＤ＿１が付与された分割マイナンバーが記憶される。第２記憶部３３２にはＩＤ＿２が付与された分割マイナンバーが記憶される。第３記憶部３３３にはＩＤ＿３が付与された分割マイナンバーが記憶される。なお、マイナンバー記憶部３３０が備える記憶部の個数と、マイナンバー分割部３２０がマイナンバーを分割する個数は、必ずしも同じ数でなくてよい。なお、マイナンバー記憶部３３０のアクセス権限は、マイマンバー記憶部３３０が備える複数の記憶部毎に設定する。
【００６５】
マイナンバーアクセス部３４０は、マイナンバー紐付けデータベース（以下、マイナンバー紐付けＤＢと記載する）３４１を備え、マイナンバー記憶部３３０から、使用するマイナンバーを抽出する。
【００６６】
マイナンバー紐付けＤＢ３４１は、氏名ごとに、分割マイナンバーに付与されたＩＤが紐づけられた紐付け情報を格納している。なお、本実施形態では氏名に基づいて紐づけを行うが、氏名以外でも社員番号など、個人を特定できる情報であればよい。
【００６７】
マイナンバーアクセス部３４０は、マイナンバー紐付けＤＢ３４１に格納されたＩＤに基づいて、マイナンバー記憶部３３０の備える複数の記憶部を検索し、一致するＩＤが付与された分割マイナンバーを抽出する。一例として、マイナンバーアクセス部３４０が、図１４に示す氏名１のマイナンバーを抽出する場合について説明する。マイナンバーアクセス部３４０は、氏名１に紐づけられてマイナンバー紐づけＤＢ３４１に格納された、３つのＩＤ「ＩＤ＿１、ＩＤ＿２、およびＩＤ＿３」が付与された分割マイナンバーをマイナンバー記憶部３３０から抽出する。マイナンバーアクセス部３４０は、抽出した分割マイナンバーをＩＤの番号が小さい順に並べて、氏名１のマイナンバーとする。
【００６８】
本実施形態の画像処理システム１０２によると、マイナンバー分割部３２０によって分割された状態でマイナンバー記憶部３００にマイナンバーが記憶される。マイナンバーを使用する際は、マイナンバーアクセス部３４０がマイナンバー紐付けＤＢ３４１に保管された紐付け情報に基づいて、マイナンバー記憶部３３０からマイナンバーを抽出する。
【００６９】
このような構成により、マイナンバー記憶部３３０およびマイナンバーアクセス部３４０の両方にアクセス権限があるユーザのみが、マイナンバー記憶部３３０に分割されて記憶されているマイナンバーを使用可能にすることができる。このため、マイナンバーを安全に保管することができる。
【００７０】
なお、本実施形態では、画像処理部２２０から記憶装置３１０に送信されたデータに含まれる文字認識結果のマイナンバーを分割して記憶しているが、画像処理部２２０から記憶装置３１０に送信されたデータのうち、マイナンバーを含む画像を分割して、マイナンバー記憶部３３０に記憶するようにしてもよい。画像の分割は、例えば、乱数パターンを用いて記憶する画像をホワイトノイズ状にしたものを複数作成する方法がある。作成された複数の画像の排他的論理和を計算すると、画像処理部２２０から送信された画像が復元できる。このような構成によると、マイナンバーを含む画像を安全に保管することができる。
【００７１】
また、本実施形態ではマイナンバー分割部３２０は記憶装置３１０が備えるが、画像処理装置１０２がマイナンバー分割部３２０を備え、分割マイナンバーを記憶装置３１０に送信するようにしてもよい。
【００７２】
なお、上記の実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）、光磁気ディスク（ＭＯ）、半導体メモリなどの記憶媒体に格納して頒布することもできる。
【００７３】
ここで、この記憶媒体としては、プログラムを記憶でき、かつコンピュータが読み取り可能な記憶媒体であれば、その記憶形式は何れの形態であっても良い。
【００７４】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の１部を実行しても良い。
【００７５】
さらに、本実施形態における記憶媒体は、コンピュータと独立した媒体に限らず、ＬＡＮやインターネット等により伝送されたプログラムをダウンロードして記憶または１時記憶した記憶媒体も含まれる。
【００７６】
また、記憶媒体は１つに限らず、複数の媒体から本実施形態における処理が実行される場合も本実施形態における記憶媒体に含まれ、媒体構成は何れの構成であっても良い。
【００７７】
なお、本実施形態におけるコンピュータは、記憶媒体に記憶されたプログラムに基づき、本実施形態における各処理を実行するものであって、パソコン等の１つからなる装置、複数の装置がネットワーク接続されたシステム等の何れの構成であっても良い。
【００７８】
また、本実施形態の各記憶装置は１つの記憶装置で実現しても良いし、複数の記憶装置で実現しても良い。
【００７９】
そして、本実施形態におけるコンピュータとは、パソコンに限らず、情報処理機器に含まれる演算処理装置、マイコン等も含み、プログラムによって本実施形態の機能を実現することが可能な機器、装置を総称している。
【００８０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８１】
１００、１０１、１０２…画像処理システム
２００…画像処理装置
２１０…入力部
２１１…マイナンバーカードの表面画像
２１２…マイナンバーカードの裏面画像
２１３…運転免許証画像
２１４、２１８…入力画像
２１５…署名画像
２１６…塗りつぶし画像
２１７…署名鍵カード
２２０…画像認識部
２３０…文字認識部
２４０…マイナンバー判定部
２５０…運転免許証判定部
２６０…塗りつぶし部
２７０…署名部
２８０…出力部
２９０…画像処理結果合成部
３００、３１０…記憶装置
３２０…マイナンバー分割部
３３０…マイナンバー記憶部
３３１…第１記憶部
３３２…第２記憶部
３３３…第３記憶部
３４０…マイナンバーアクセス部
３４１…マイナンバー紐付けデータベース
４００…ネットワーク 
【図１】
0006426572.tif 000002
【図２】
0006426572.tif 000003
【図３】
0006426572.tif 000004
【図４】
0006426572.tif 000005
【図５】
0006426572.tif 000006
【図６】
0006426572.tif 000007
【図７】
0006426572.tif 000008
【図８】
0006426572.tif 000009
【図９】
0006426572.tif 000010
【図１０】
0006426572.tif 000011
【図１１】
0006426572.tif 000012
【図１２】
0006426572.tif 000013
【図１３】
0006426572.tif 000014
【図１４】
0006426572.tif 000015